(57)【要約】  本発明は、左右風向調節部の駆動モーターの耐久性を確保することが出来る空気調和機の室内機を得ることを目的とする。  室内機は、吹出口から吹き出される空気の横方向の角度を調節する左右風向調節部を備えている。また、左右風向調節部は、熱交換器と吹出口とを連通させる吹出流路内において横方向に規定の間隔を空けて配置された複数の左右風向調節板と、駆動モーターを有し、該駆動モーターの動力によって複数の左右風向調節板を揺動させる駆動装置とを備えている。また、室内機の筐体は、吹出流路と隔てられ、吸込口と熱交換器とを連通させる流路である吸込流路と連通する収納室を有している。そして、駆動モーターは、収納室に収納されている。
2019077690.tif 000002
【特許請求の範囲】
【請求項１】
下面部に吸込口及び吹出口が開口した筐体と、  前記筐体に収納され、空調対象空間の空気を前記吸込口から前記筐体内に吸い込み、前記吹出口から吹き出す送風機と、  前記筐体に収納され、内部に流れる冷媒と前記筐体内に吸い込まれた空気とを熱交換させる熱交換器と、  前記吹出口から吹き出される空気の横方向の角度を調節する左右風向調節部と、  を備え、  前記筐体には、前記吸込口と前記熱交換器とを連通させる吸込流路と、前記熱交換器と前記吹出口とを連通させる吹出流路とが形成され、  前記左右風向調節部は、  前記吹出流路内において横方向に規定の間隔を空けて配置された複数の左右風向調節板と、  駆動モーターを有し、該駆動モーターの動力によって前記複数の左右風向調節板を揺動させる駆動装置とを備え、  前記筐体は、前記吹出流路と隔てられ、前記吸込流路と連通する収納室を有し、  前記駆動モーターは、前記収納室に収納されている空気調和機の室内機。
【請求項２】
前記下面部側から前記筐体を観察した状態において、  前記収納室は、前記吹出流路と前記吸込流路との間に配置されている請求項１に記載の空気調和機の室内機。
【請求項３】
前記下面部側から前記筐体を観察した状態において、  前記収納室は、前記筐体の角部に配置されている請求項１に記載の空気調和機の室内機。
【請求項４】
前記左右風向調節部は、前記吹出流路と連通する箇所に配置されている部品と、前記吸込流路と連通する箇所に配置されている部品との間に、断熱材を有する請求項１〜請求項３のいずれか一項に記載の空気調和機の室内機。
【請求項５】
前記左右風向調節部は、  前記複数の左右風向調節板を揺動自在に支持する支持台と、  前記複数の左右風向調節板と前記駆動装置とを連結する連結部材と、  を備え、  前記駆動装置は、前記支持台に取り付けられており、  前記左右風向調節部は、  前記支持台が前記筐体に着脱自在に取り付けられることにより、前記複数の左右風向調節板、前記支持台、前記連結部材及び前記駆動装置が一体品として、前記筐体から着脱自在な構成となっている請求項１〜請求項４のいずれか一項に記載の空気調和機の室内機。
【請求項６】
前記筐体は、  前記吸込流路の一部を構成する第１吸込流路、及び前記吹出流路の一部を構成する第１吹出流路が形成され、前記送風機及び前記熱交換器が収納された室内機本体と、  前記吸込流路の一部を構成し、前記第１吸込流路と連通する第２吸込流路と、前記吹出流路の一部を構成し、前記第１吹出流路と連通する第２吹出流路とが形成され、前記室内機本体の下部に取り付けられた左右風向ケースメントと、  前記吸込口と、前記吸込流路の一部を構成し、前記第２吸込流路及び前記吸込口と連通する第３吸込流路と、前記吹出流路の一部を構成し、前記第２吹出流路及び前記吹出口と連通する第３吹出流路と、前記吹出口とが形成され、前記左右風向ケースメントの下部に取り付けられた化粧パネルと、  を備え、  前記収納室は、前記左右風向ケースメントに設けられ、  前記左右風向調節部の前記複数の左右風向調節板は、前記左右風向ケースメントの前記第２吹出流路に配置されている請求項１〜請求項５のいずれか一項に記載の空気調和機の室内機。
【請求項７】
前記第３吹出流路に揺動自在に配置され、前記吹出口から吹き出される空気の上下方向の角度を調節する上下風向調節板を備えた請求項６に記載の空気調和機の室内機。
【発明の詳細な説明】
【技術分野】
【０００１】  本発明は、空調対象空間の天井に埋め込まれて、あるいは空調対象空間の天井に吊り下げられて設置される空気調和機の室内機に関し、特に、風向調節手段の構造に関するものである。
【背景技術】
【０００２】  従来の空気調和機の室内機には、空調対象空間の天井に埋め込まれて、あるいは空調対象空間の天井に吊り下げられて設置されるものが存在する。このように設置される従来の室内機としては、例えば、筐体の下面部の略中央部に開口した吸込口と、下面部において該吸込口の四方を囲むように開口した４つの吹出口とを備え、熱交換器で熱交換後の空気を四方に吹き出すことが出来る室内機が知られている。さらに、このように設置される従来の室内機には、４つの吹出口のそれぞれに対応して、吹出口から吹き出される空気の横方向の角度を調節する左右風向調節部を備えたものも提案されている（例えば、特許文献１参照）。【０００３】  詳しくは、吹出口のそれぞれには、熱交換器で熱交換後の空気を吹出口に運ぶ吹出流路が連通している。そして、左右風向調節部は、吹出流路内において横方向に規定の間隔を空けて配置された複数の左右風向調節板と、これら複数の左右風向調節板を揺動させる駆動モーターと、を備えている。これら複数の左右風向調節板を揺動させ、これら複数の左右風向調節板の傾斜角度を変更することにより、吹出口から吹き出される空気の横方向の角度を調節することが出来る。
【先行技術文献】
【特許文献】
【０００４】
【特許文献１】特開２００３−１９４３８９号公報
【発明の概要】
【発明が解決しようとする課題】
【０００５】  従来の空気調和機の室内機においては、左右風向調節部の駆動モーターは、吹出流路と連通する箇所に配置されていた。すなわち、従来の空気調和機の室内機においては、左右風向調節部の駆動モーターは、熱交換器と熱交換後の空気と接する環境下に配置されていた。このため、例えば冷房運転時には、熱交換器で冷却された空気と発熱した駆動モーターとの温度差によって、駆動モーターに結露が生じる。また、例えば暖房運転時には、熱交換器で加熱された空気により、駆動モーターが加熱される。これにより、駆動モーターの温度が上昇してしまう。このように、従来の空気調和機の室内機は、熱交換器と熱交換後の空気の温度の影響を左右風向調節部の駆動モーターが受けることにより、駆動モーターの耐久性が悪化してしまうという課題があった。【０００６】  本発明は、上記の課題を解決するためになされたもので、左右風向調節部の駆動モーターの耐久性を確保することが出来る空気調和機の室内機を得ることを目的とする。
【課題を解決するための手段】
【０００７】  本発明に係る空気調和機の室内機は、下面部に吸込口及び吹出口が開口した筐体と、前記筐体に収納され、空調対象空間の空気を前記吸込口から前記筐体内に吸い込み、前記吹出口から吹き出す送風機と、前記筐体に収納され、内部に流れる冷媒と前記筐体内に吸い込まれた空気とを熱交換させる熱交換器と、前記吹出口から吹き出される空気の横方向の角度を調節する左右風向調節部と、を備え、前記筐体には、前記吸込口と前記熱交換器とを連通させる吸込流路と、前記熱交換器と前記吹出口とを連通させる吹出流路とが形成され、前記左右風向調節部は、前記吹出流路内において横方向に規定の間隔を空けて配置された複数の左右風向調節板と、駆動モーターを有し、該駆動モーターの動力によって前記複数の左右風向調節板を揺動させる駆動装置とを備え、前記筐体は、前記吹出流路と隔てられ、前記吸込流路と連通する収納室を有し、前記駆動モーターは、前記収納室に収納されている。
【発明の効果】
【０００８】  本発明に係る空気調和機の室内機においては、熱交換器と熱交換後の空気の温度の影響を左右風向調節部の駆動モーターが受けることを防止出来る。このため、本発明に係る空気調和機の室内機は、左右風向調節部の駆動モーターの耐久性を確保することが出来る。
【図面の簡単な説明】
【０００９】
【図１】本発明の実施の形態１に係る空気調和機の室内機全体を斜め下から見た斜視図である。
【図２】本発明の実施の形態１に係る空気調和機の室内機全体の縦断面図である。
【図３】本発明の実施の形態１に係る空気調和機の室内機において、化粧パネルを取り外した状態を示す下面図である。
【図４】本発明の実施の形態１に係る空気調和機の室内機において、化粧パネルを取り外した状態を斜め下から見た分解斜視図である。
【図５】図３のＡ−Ａ断面図である。
【図６】本発明の実施の形態１に係る空気調和機の室内機において化粧パネルを取り外した状態を斜め下から見た斜視図であり、左右風向調節部の駆動モーターの配置位置周辺を示す図である。
【図７】本発明の実施の形態１に係る空気調和機の室内機において化粧パネルを取り外した状態を斜め下から見た分解斜視図であり、左右風向調節部の駆動モーターの配置位置周辺を示す図である。
【図８】本発明の実施の形態１に係る空気調和機の室内機の別の一例を示す要部拡大図である。
【図９】本発明の実施の形態２に係る空気調和機の室内機において、化粧パネルを取り外した状態を示す下面図である。
【図１０】本発明の実施の形態２に係る空気調和機の室内機において、化粧パネルを取り外した状態を斜め下から見た分解斜視図である。
【図１１】本発明の実施の形態２に係る空気調和機の室内機において化粧パネルを取り外した状態を斜め下から見た斜視図であり、左右風向調節部の駆動モーターの配置位置周辺を示す図である。
【図１２】本発明の実施の形態２に係る空気調和機の室内機において化粧パネルを取り外した状態を斜め下から見た分解斜視図であり、左右風向調節部の駆動モーターの配置位置周辺を示す図である。
【図１３】図９のＢ−Ｂ断面図である。
【発明を実施するための形態】
【００１０】  以下、本発明に係る空気調和機の実施の形態の一例について具体的に説明する。
【００１１】実施の形態１．  図１は、本発明の実施の形態１に係る空気調和機の室内機全体を斜め下から見た斜視図である。また、図２は、本発明の実施の形態１に係る空気調和機の室内機全体の縦断面図である。  本実施の形態１に係る空気調和機の室内機１００は、部屋等の空調対象空間の天井に埋め込まれて、あるいは空調対象空間の天井に吊り下げられて設置されるものである。この室内機１００は、下面部に吸込口２及び吹出口３が開口した筐体１を備えている。なお、本実施の形態１では、４つの吹出口３が形成された例を示している。筐体１は、例えば、内部が空洞となった略直方体形状の箱体である。吸込口２は、例えば、筐体１の下面部の略中央部に開口している。４つの吹出口３は、吸込口２の四方を囲むように開口している。これら吹出口３は、例えば長方形状をしており、長辺が筐体１の下面部の各辺に沿うように配置されている。また、吸込口２には、吸込グリル２ａ及びフィルタ９が設けられている。
【００１２】  また、筐体１の内部には、吸込口２と対向する位置に、例えばターボファン等の遠心ファンである送風機６が設けられている。例えば、送風機６の中心軸は、平面視において吸込口２の中心と略同位置に配置されている。送風機６は、空調対象空間の空気を吸込口２から筐体１内に吸い込み、吹出口３から吹き出すものである。また、筐体１の内部には、送風機６を囲むように、例えばフィンアンドチューブ型の熱交換器７が設けられている。熱交換器７は、該熱交換器７の内部に流れる冷媒と、送風機６によって筐体１内に吸い込まれた空調対象空間の空気と、を熱交換させるものである。
【００１３】  この熱交換器７は、平面視において、吸込口２の外周側であり、吹出口３の内周側となる位置に配置されている。すなわち筐体１には、吸込口２と熱交換器７とを連通させる吸込流路４と、熱交換器７と吹出口３とを連通させる吹出流路５とが形成されている。このため、図２に吸込空気１０１及び吹出空気１０２として矢印で示すように、送風機６が回転することによって、空調対象空間の空気は、吸込口２から筐体１内に吸い込まれ、吸込流路４を通って熱交換器７に流入する構成となっている。また、熱交換器７に流入した空調対象空間の空気は、熱交換器７を通る際に該熱交換器７の冷媒流路内を流れる冷媒と熱交換して空調空気となり、吹出流路５を通って吹出口３から空調対象空間へ吹き出される構成となっている。
【００１４】  なお、本実施の形態１では４つの吹出口３が形成されているため、吹出流路５も４つ形成されることとなる。また、吹出流路５の断面形状は、吹出口３と同様に、例えば長方形状をしており、長辺が筐体１の下面部の各辺に沿う形状となっている。また、本実施の形態１に係る室内機１００は、吸込口２と送風機６との間に、吸込口２から吸込流路４内に吸い込まれた空調対象空間の空気を送風機６へ導くベルマウス８も備えている。
【００１５】  また、本実施の形態１に係る室内機１００は、吹出流路５に、吹出口３から吹き出される空調空気の角度を調節する上下風向調節板５１及び複数の左右風向調節板４１が揺動自在に設けられている。
【００１６】  上下風向調節板５１は、吹出口３から吹き出される空調空気の上下方向の角度を調節するものである。この上下風向調節板５１は、吹出流路５の長手方向に延びる板状部材である。また、上下風向調節板５１は、吹出流路５の長手方向に延びる回転軸を中心として、上下方向に揺動する構成となっている。上下風向調節板５１の上下方向の揺動は、駆動モーター等である駆動装置５２で行われる。このため、上下風向調節板５１の外周側端部の位置が上方へ行くほど、吹出口３から吹き出される空調空気は、水平方向に近い角度で吹き出されることとなる。また、上下風向調節板５１の外周側端部の位置が下方へ行くほど、吹出口３から吹き出される空調空気は、下方向に吹き出されることとなる。
【００１７】  複数の左右風向調節板４１は、後述する左右風向調節部４０の構成部品である。左右風向調節部４０は、吹出口３から吹き出される空調空気の横方向の角度を調節するものである。左右風向調節部４０は、吹出口３毎に設けられている。複数の左右風向調節板４１は、吹出流路５内において、吹出流路５の長手方向（横方向）に、規定の間隔を空けて配置されている。左右風向調節板４１のそれぞれは、揺動自在に吹出流路５内に配置されている。例えば、左右風向調節板４１のそれぞれは、下端部が左右方向に揺動する。そして、左右風向調節板４１の下端部が移動した方向に、吹出口３から吹き出される空調空気は曲がって吹き出されることとなる。左右風向調節板４１の揺動は、左右風向調節部４０の後述する駆動モーター４５の動力によって行われる。なお、左右風向調節部４０の詳細は後述する。
【００１８】  ここで、本実施の形態１では、室内機本体１０、左右風向ケースメント２０及び化粧パネル３０で筐体１を構成している。
【００１９】  室内機本体１０は、例えば、平面視において角部に面取り形状を有する、略直方体形状の箱体である。室内機本体１０には、送風機６、熱交換器７及びベルマウス８が収納されている。また、室内機本体１０には、吸込流路４の一部を構成する第１吸込流路１４と、吹出流路５の一部を構成する第１吹出流路１５とが形成されている。第１吸込流路１４における熱交換器７とは反対側の端部は、例えば、室内機本体１０の下面部の略中央部に開口している。第１吹出流路１５における熱交換器７とは反対側の端部は、室内機本体１０の下面部において、第１吸込流路１４の開口部の四方を囲むように開口している。また、室内機本体１０の外周部には、室内機本体１０を空調対象空間の天井に吊り下げる際に用いられる据付金具１１が設けられている。
【００２０】  左右風向ケースメント２０は、室内機本体１０の下部に取り付けられるものである。左右風向ケースメント２０は、平面視において、室内機本体１０と略同形状をしている。すなわち、左右風向ケースメント２０は、平面視において、角部に面取り形状を有する略直方体形状をしている。この左右風向ケースメント２０には、第２吸込流路２４と、第２吹出流路２５とが形成されている。第２吸込流路２４は、吸込流路４の一部を構成し、第１吸込流路１４と連通している。第２吸込流路２４は、平面視において左右風向ケースメント２０の略中央部に形成された貫通孔である。第２吹出流路２５は、吹出流路５の一部を構成し、第１吹出流路１５と連通している。第２吹出流路２５は、平面視において第２吸込流路２４の四方を囲むように形成された貫通孔である。
【００２１】  また、左右風向ケースメント２０の上面部には、シール材９１が設けられている。シール材９１は、室内機本体１０に左右風向ケースメント２０を固定した際、吸込流路４（第１吸込流路１４及び第２吸込流路２４）と吹出流路５（第１吹出流路１５及び第２吹出流路２５）とを仕切るものである。
【００２２】  ここで、本実施の形態１においては、後述の左右風向調節部４０は、左右風向ケースメント２０に設けられている。すなわち、上述の左右風向調節板４１は、第２吹出流路２５に、揺動自在に配置されている。
【００２３】  化粧パネル３０は、左右風向ケースメント２０の下部に取り付けられるものであり、例えば略矩形形状の板状体である。つまり、化粧パネル３０は、筐体１の下面部を構成するものである。この化粧パネル３０には、吸込口２と、第３吸込流路３４と、第３吹出流路３５と、吹出口３とが形成されている。第３吸込流路３４は、吸込流路４の一部を構成し、第２吸込流路２４及び吸込口２と連通している。第３吸込流路３４は、平面視において化粧パネル３０の略中央部に形成された貫通孔である。第３吹出流路３５は、吹出流路５の一部を構成し、第２吹出流路２５及び吹出口３と連通している。第３吹出流路３５は、平面視において第３吸込流路３４の四方を囲むように形成された貫通孔である。
【００２４】  また、化粧パネル３０の上面部には、シール材９２が設けられている。シール材９２は、左右風向ケースメント２０に化粧パネル３０を固定した際、吸込流路４（第２吸込流路２４及び第３吸込流路３４）と吹出流路５（第２吹出流路２５及び第３吹出流路３５）とを仕切るものである。
【００２５】  ここで、本実施の形態１においては、上述の上下風向調節板５１は第３吹出流路３５に、揺動自在に配置されている。また、上下風向調節板５１を揺動させる駆動装置５２は、化粧パネル３０に設けられている。
【００２６】  空調対象空間の天井に埋め込まれて、あるいは空調対象空間の天井に吊り下げられて設置される空気調和機の室内機には、コスト削減等の観点から、左右風向調節部４０を設けていないものが要求される場合がある。このような場合、左右風向調節部を備えた室内機においては、該左右風向調節部を室内機から取り外すこととなる。これにより、左右風向調節部の要不要にかかわらず、筐体を兼用出来るからである。このため、本実施の形態１に係る室内機１００においても、左右風向調節部４０が不要な場合、該左右風向調節部４０を室内機１００から取り外すこととなる。
【００２７】  ここで、室内機本体１０と左右風向ケースメント２０とを一体形成していた場合、すなわち、室内機本体１０の下部を延ばして、該延ばした箇所を左右風向ケースメント２０としていた場合、左右風向調節部４０は、室内機本体１０に設けられることとなる。このような場合、左右風向調節部４０を室内機１００から取り外すと、室内機本体１０には、左右風向調節部４０が設置されていた空間が存在することとなる。したがって、左右風向調節部４０が不要な場合、左右風向ケースメント２０が一体形成された室内機本体１０は、必要以上に大型化してしまう。すなわち、室内機本体１０と左右風向ケースメント２０とが一体形成されていた場合、左右風向調節部４０が不要な際には、室内機１００が必要以上に大型化してしまう。
【００２８】  しかしながら、本実施の形態１に係る室内機１００においては、上述のように、室内機本体１０と左右風向ケースメント２０とを別体で構成し、左右風向調節部４０を左右風向ケースメント２０に設けている。このため、本実施の形態１に係る室内機１００においては、左右風向調節部４０が不要な際、左右風向ケースメント２０を取り外し、化粧パネル３０を室内機本体１０の下部に取り付ければよい。これにより、左右風向調節部４０が不要な際に、室内機１００が必要以上に大型化してしまうことを防止出来る。
【００２９】  続いて、左右風向調節部４０の詳細について説明する。
【００３０】  図３は、本発明の実施の形態１に係る空気調和機の室内機において、化粧パネルを取り外した状態を示す下面図である。図４は、本発明の実施の形態１に係る空気調和機の室内機において、化粧パネルを取り外した状態を斜め下から見た分解斜視図である。図５は、図３のＡ−Ａ断面図である。図６は、本発明の実施の形態１に係る空気調和機の室内機において化粧パネルを取り外した状態を斜め下から見た斜視図であり、左右風向調節部の駆動モーターの配置位置周辺を示す図である。また、図７は、本発明の実施の形態１に係る空気調和機の室内機において化粧パネルを取り外した状態を斜め下から見た分解斜視図であり、左右風向調節部の駆動モーターの配置位置周辺を示す図である。なお、図４は、左右風向ケースメント２０に設けられる４つの左右風向調節部４０のうち、２つの左右風向調節部４０が取り付けられていない状態を示している。また、図５では、左右風向調節部４０の駆動装置４４を、断面でない状態で示している。
【００３１】  左右風向調節部４０は、上述した複数の左右風向調節板４１と、支持台４２と、連結部材４３と、駆動装置４４とを備えている。複数の左右風向調節板４１は、支持台４２の側面部に揺動自在に支持されている。この支持台４２は、第２吹出流路２５の長手方向に沿うように、左右風向ケースメント２０に取り付けられる。支持台４２を左右風向ケースメント２０に取り付けることにより、複数の左右風向調節板４１は、第２吹出流路２５内に配置されることとなる。この際、複数の左右風向調節板４１は、第２吹出流路２５内において、支持台４２よりも左右風向ケースメント２０の外周面側に配置される。換言すると、第２吹出流路２５内において、支持台４２は、複数の左右風向調節板４１よりも左右風向ケースメント２０の内周側に、つまり複数の左右風向調節板４１よりも第２吸込流路２４側に配置される。
【００３２】  また、左右風向調節板４１のそれぞれは、連結部材４３によって連結されている。連結部材４３は、駆動装置４４とも接続されている。本実施の形態１に係る連結部材４３は、左右風向調節板４１のそれぞれを連結する第１連結部材４３ａと、該第１連結部材４３ａと駆動装置４４とを連結する第２連結部材４３ｂとで、構成されている。
【００３３】  駆動装置４４は、駆動モーター４５と、該駆動モーター４５と第２連結部材４３ｂとを接続する動力伝達機構４６とを備えている。動力伝達機構４６は、歯車等で構成され、駆動モーター４５の動力を第２連結部材４３ｂに伝達するものである。すなわち、駆動モーター４５が回転することにより、この回転動力は、動力伝達機構４６及び連結部材４３を介して複数の左右風向調節板４１に伝えられる。詳しくは、駆動モーター４５がある回転方向に回転した際、各左右風向調節板４１の下端部は、ある一方向に移動する。また、駆動モーター４５が前記回転方向とは逆方向に回転した際、各左右風向調節板４１の下端部は、前記一方向とは反対方向へ移動する。このように構成された駆動装置４４は、支持台４２に取り付けられる。
【００３４】  また、駆動装置４４が支持台４２に取り付けられた状態では、平面視において、駆動モーター４５は、動力伝達機構４６よりも左右風向ケースメント２０の内周側に突出している。換言すると、支持台４２における左右風向調節板４１を支持している箇所を基準としてみた場合、駆動モーター４５は、当該箇所よりも左右風向ケースメント２０の内周側に突出している。また、駆動装置４４の下部には、蓋４７が設けられている。
【００３５】  左右風向ケースメント２０は、各第２吹出流路２５の側方に、収納室２１を有している。換言すると、収納室２１は、下方から左右風向ケースメント２０を観察した状態において、左右風向ケースメント２０の角部に配置されている。さらに換言すると、収納室２１は、筐体１を下面部側から観察した状態において、筐体１の角部に配置されている。収納室２１は、左右風向ケースメント２０に左右風向調節部４０を取り付けた際、駆動装置４４を収納する室である。収納室２１は、下部が開口した凹部である。また、収納室２１に駆動装置４４が収納されていない状態においては、収納室２１は、第２吹出流路２５の側端部と連通している。
【００３６】  一方、収納室２１に駆動装置４４が収納された状態においては、図５に示すように、収納室２１は、支持台４２における駆動モーター４５を囲う壁部４２ａ、動力伝達機構４６及び蓋４７により、第２収納室２１ｂと、駆動モーター４５が配置された第１収納室２１ａとに仕切られる。これにより、駆動モーター４５が配置された第１収納室２１ａは、第２吹出流路２５と連通する第２収納室２１ｂと隔てられる。すなわち、第１収納室２１ａは、吹出流路５と隔てられる。なお、支持台４２には、該支持台４２の壁部４２ａと収納室２１の内周壁との間等、気密性を確保したい箇所にシール材４２ｂが設けられている。また、蓋４７にも、該蓋４７と収納室２１の開口部周辺等、気密性を確保したい箇所にシール材４７ａが設けられている。なお、壁部４２ａについては、図７も参照されたい。
【００３７】  この際、蓋４７は、流路２２となる分だけ空くように、収納室２１の下部開口を覆う。ここで、左右風向ケースメント２０の下面部と化粧パネル３０の上面部との間に設けられたシール材９２は、図３に二点鎖線で配置範囲９２ａとして示すように、第２吹出流路２５の外周を囲むように設けられている。このため、流路２２は、シール材９２で覆われていない。したがって、駆動モーター４５が配置された第１収納室２１ａは、吸込流路４と連通している。すなわち、筐体１の一部である左右風向ケースメント２０は、吹出流路５と隔てられ、吸込流路４と連通する第１収納室２１ａを有している。そして、駆動モーター４５は、該第１収納室２１ａに収納されている。  ここで、第１収納室２１ａが、本発明の収納室に相当する。
【００３８】  なお、第１収納室２１ａと吸込流路４とを連通する流路は、流路２２に限定されない。例えば、第１収納室２１ａと吸込流路４とを連通する貫通孔又は溝部等を左右風向ケースメント２０及び化粧パネル３０の少なくとも一方に形成し、第１収納室２１ａと吸込流路４とを連通する流路としてもよい。
【００３９】  上述のように構成された左右風向調節部４０においては、まず、複数の左右風向調節板４１、支持台４２、連結部材４３及び駆動装置４４が、一体品として組み立てられる。その後、支持台４２が、例えばネジ止め等により、左右風向ケースメント２０に着脱自在に取り付けられる。すなわち、本実施の形態１に係る左右風向調節部４０は、一体品として左右風向ケースメント２０から着脱自在な構成となっている。例えば、粉塵等で吹出流路５内が汚れた際、左右風向調節部４０を着脱して吹出流路５内を清掃しなければならない場合がある。この際、本実施の形態１に係る室内機１００においては、左右風向ケースメント２０から左右風向調節部４０を一体品として着脱出来るので、清掃性が向上する。また例えば、本実施の形態１に係る室内機１００においては、左右風向調節板４１等が損傷した際、左右風向調節部４０を一体品として左右風向ケースメント２０から取り外して、左右風向調節板４１等の交換を行える。このように、本実施の形態１に係る室内機１００には、左右風向ケースメント２０から左右風向調節部４０を一体品として着脱出来るので、メンテナンス性が向上する。
【００４０】  続いて、本実施の形態１に係る室内機１００の運転動作について説明する。  図２に吸込空気１０１及び吹出空気１０２として矢印で示すように、送風機６が回転することによって、空調対象空間の空気は、吸込口２から筐体１内に吸い込まれ、吸込流路４を通って熱交換器７に流入する。そして、熱交換器７に流入した空調対象空間の空気は、熱交換器７を通る際に該熱交換器７の冷媒流路内を流れる冷媒と熱交換して空調空気となり、吹出流路５を通って吹出口３から空調対象空間へ吹き出される。
【００４１】  この際、上下風向調節板５１の傾斜角度を調節することにより、吹出口３から吹き出される空調空気の上下方向の角度を調節することが出来る。また、左右風向調節板４１の傾斜角度を調節することにより、吹出口３から吹き出される空調空気の横方向の角度を調節することが出来る。すなわち、上下風向調節板５１及び左右風向調節板４１の傾斜角度を調節することにより、吹出口３から吹き出される空調空気の角度を、上下左右任意の角度に調節出来る。
【００４２】  なお、上下風向調節板５１及び左右風向調節板４１の傾斜角度を固定することにより、吹出口３から吹き出される空調空気の角度を固定してもよい。また、上下風向調節板５１及び左右風向調節板４１を動かし続け、上下風向調節板５１及び左右風向調節板４１の傾斜角度を連続的に変化させてもよい。また、上下風向調節板５１は、吹出流路５毎に、それぞれ独立して動作してもよいし、連動して動作してもよい。左右風向調節板４１もまた、吹出流路５に設けられた左右風向調節板４１毎に、独立して動作してもよいし、連動して動作してもよい。
【００４３】  ここで、上述のように、本実施の形態１に係る室内機１００においては、吹出流路５と隔てられ、吸込流路４と連通する第１収納室２１ａに、左右風向調節部４０の駆動モーター４５が配置されている。このため、冷房運転時、駆動モーター４５は、熱交換器７で冷却された空気に直接さらされることがない。このため、本実施の形態１に係る室内機１００においては、冷房運転時、熱交換器７で冷却された空気と発熱した駆動モーター４５との温度差によって該駆動モーター４５に結露が生じることを防止出来る。また、暖房運転時、駆動モーター４５は、熱交換器７で加熱された空気に直接さらされることがない。また、暖房運転時、駆動モーター４５は、吸込流路４に吸い込まれた空気によって冷却される。このため、本実施の形態１に係る室内機１００においては、暖房運転時、熱交換器７で加熱された空気によって駆動モーター４５の温度が上昇してしまうことを防止出来る。
【００４４】  このように、本実施の形態１に係る室内機１００においては、熱交換器７と熱交換後の空気の温度の影響を駆動モーター４５が受けることを防止出来る。このため、本実施の形態１に係る室内機１００は、駆動モーター４５の耐久性を確保することが出来る。なお、当該効果は、室内機本体１０、左右風向ケースメント２０及び化粧パネル３０で筐体１が構成されている場合に限定されるものではない。例えば、室内機本体１０と左右風向ケースメント２０とを一体形成した筐体１においても、当該効果を得ることが出来る。すなわち、筐体１に、吹出流路５と隔てられ、吸込流路４と連通する第１収納室２１ａが設けられていればよい。そして、この第１収納室２１ａに駆動モーター４５が収納されていれば、当該効果を得ることが出来る。
【００４５】  以上、本実施の形態１に係る室内機１００は、下面部に吸込口２及び吹出口３が開口した筐体１を備えている。また、本実施の形態１に係る室内機１００は、送風機６、熱交換器７及び左右風向調節部４０を備えている。送風機６は、筐体１に収納され、空調対象空間の空気を吸込口２から筐体１に吸い込み、吹出口３から吹き出すものである。熱交換器７は、筐体１に収納され、内部に流れる冷媒と筐体１内に吸い込まれた空気とを熱交換させるものである。左右風向調節部４０は、吹出口３から吹き出される空気の横方向の角度を調節するものである。すなわち、筐体１には、吸込口２と熱交換器７とを連通させる吸込流路４と、熱交換器７と吹出口３とを連通させる吹出流路５とが形成されている。また、左右風向調節部４０は、吹出流路５内において横方向に規定の間隔を空けて配置された複数の左右風向調節板４１と、駆動モーター４５を有し、該駆動モーター４５の動力によって複数の左右風向調節板４１を揺動させる駆動装置４４とを備えている。また、筐体１は、吹出流路５と隔てられ、吸込流路４と連通する第１収納室２１ａを有している。そして、駆動モーター４５は、第１収納室２１ａに収納されている。
【００４６】  このように構成された室内機１００においては、熱交換器７と熱交換後の空気の温度の影響を駆動モーター４５が受けることを防止出来る。このため、本実施の形態１に係る室内機１００は、駆動モーター４５の耐久性を確保することが出来る。
【００４７】  また、本実施の形態１に係る室内機１００においては、第１収納室２１ａは、筐体１を下面部側から観察した状態において、筐体１の角部に配置されている。筐体１の角部は、室内機１００の構成要素を配置しづらい箇所である。このため、第１収納室２１ａを筐体１の角部に配置し、該第１収納室２１ａに駆動モーター４５を収納することにより、筐体１の角部を有効活用することが出来る。
【００４８】  なお、左右風向調節部４０は、例えば図８に示すように、吹出流路５と連通する箇所に配置されている部品と、吸込流路４と連通する箇所に配置されている部品との間に、断熱材９３を有していてもよい。
【００４９】  図８は、本発明の実施の形態１に係る空気調和機の室内機の別の一例を示す要部拡大図である。この図８は、図５と同じ位置での断面を示している。  図８に示す室内機１００の左右風向調節部４０は、動力伝達機構４６と駆動モーター４５との間に、断熱材９３を有している。断熱材９３は、例えば、発泡ウレタンで構成されている。
【００５０】  上述のように、第２収納室２１ｂは、吹出流路５の一部を構成する第２吹出流路２５と連通している。そして、左右風向調節部４０の動力伝達機構４６は、第２収納室２１ｂに収納されている。このため、動力伝達機構４６は、冷房運転時、熱交換器７で冷却された空気によって冷却される。また、動力伝達機構４６は、暖房運転時、熱交換器７で加熱された空気によって加熱される。ここで、図５で示した左右風向調節部４０は、動力伝達機構４６と駆動モーター４５とが直接接続されていた。このため、動力伝達機構４６と駆動モーター４５との間の熱交換により、駆動モーター４５は、熱交換器７と熱交換後の空気の温度の影響を若干受けることとなる。一方、図８に示す左右風向調節部４０は、断熱材９３により、動力伝達機構４６と駆動モーター４５との間の熱交換を防止出来る。したがって、図８のように左右風向調節部４０を構成することにより、熱交換器７と熱交換後の空気の温度の影響を駆動モーター４５が受けることをさらに防止出来る。したがって、図８のように左右風向調節部４０を構成することにより、駆動モーター４５の耐久性をさらに確保することが出来る。
【００５１】実施の形態２．  左右風向調節部４０の駆動モーター４５を収納する収納室２１は、実施の形態１で示した位置に限定されない。例えば本実施の形態２で示す位置に収納室２１を設けてもよい。なお、本実施の形態２において、特に記述しない項目については実施の形態１と同様とし、同一の機能及び構成については同一の符号を用いて述べることとする。
【００５２】  図９は、本発明の実施の形態２に係る空気調和機の室内機において、化粧パネルを取り外した状態を示す下面図である。図１０は、本発明の実施の形態２に係る空気調和機の室内機において、化粧パネルを取り外した状態を斜め下から見た分解斜視図である。図１１は、本発明の実施の形態２に係る空気調和機の室内機において化粧パネルを取り外した状態を斜め下から見た斜視図であり、左右風向調節部の駆動モーターの配置位置周辺を示す図である。図１２は、本発明の実施の形態２に係る空気調和機の室内機において化粧パネルを取り外した状態を斜め下から見た分解斜視図であり、左右風向調節部の駆動モーターの配置位置周辺を示す図である。また、図１３は、図９のＢ−Ｂ断面図である。なお、図１０は、左右風向ケースメント２０に設けられる４つの左右風向調節部４０のうち、２つの左右風向調節部４０が取り付けられていない状態を示している。
【００５３】  本実施の形態２に係る室内機１００においては、収納室２１は、下方から左右風向ケースメント２０を観察した状態において、第２吹出流路２５と第２吸込流路２４との間に配置されている。換言すると、収納室２１は、筐体１を下面部側から観察した状態において、吹出流路５と吸込流路４との間に配置されている。収納室２１に駆動装置４４が収納されていない状態においては、収納室２１の外周側の側面部は、第２吹出流路２５の内周側の側面部と連通している。また、収納室２１の内周側の側面部は、第２吸込流路２４と連通している。なお、本実施の形態２では、収納室２１の内周側の側面部と対向する位置に、板部材２８が設けられている。この板部材２８は、収納室２１に収納されている駆動モーター４５に作業者等が触れることを防止するためのものであり、収納室２１と第２吸込流路２４との間を塞ぐものではない。このため、図１１及び図１３に示すように、収納室２１と第２吸込流路２４との間を連通させる流路２２は確保されている。
【００５４】  また、本実施の形態２に係る左右風向調節部４０においては、駆動装置４４を構成する駆動モーター４５及び動力伝達機構４６は、支持台４２における左右風向調節板４１を支持している箇所を基準としてみた場合、当該箇所よりも左右風向ケースメント２０の内周側に配置されている。
【００５５】  ここで、支持台４２には、第２吸込流路２４側に突出する壁部４２ｃが形成されている。この壁部４２ｃの外周面は、収納室２１における第２吹出流路２５側の開口部の内周面２１ｃと対応する形状となっている。また、動力伝達機構４６には、第２吹出流路２５側に突出する壁部４６ａが形成されている。この壁部４２ｃの外周面は、壁部４２ｃと同様に、収納室２１における第２吹出流路２５側の開口部の内周面２１ｃと対応する形状となっている。また、収納室２１の壁部４２ｃの先端と動力伝達機構４６の壁部４６ａの先端とが、当接している。そして、収納室２１に駆動装置４４が収納された状態においては、支持台４２の壁部４２ｃ及び動力伝達機構４６の壁部４６ａが、収納室２１における第２吹出流路２５側の開口部の内周面２１ｃに接触する。これにより、第２吹出流路２５と収納室２１とが仕切られる。すなわち、収納室２１と吹出流路５とが隔てられる。このため、駆動装置４４の駆動モーター４５は、第２吹出流路２５つまり吹出流路５と隔てられ、吸込流路４と連通する収納室２１に収納されることとなる。  ここで、本実施の形態２の場合、収納室２１が、本発明の収納室に相当する。
【００５６】  なお、本実施の形態２では、支持台４２の壁部４２ｃ及び動力伝達機構４６の壁部４６ａと収納室２１の内周面２１ｃとの間の気密性を向上させるため、壁部４２ｃ及び壁部４６ａと内周面２１ｃとの間に、シール材４８が設けられている。また、本実施の形態２では、第２吹出流路２５の内周側の面と支持台４２との間の気密性を向上させるため、両者の間に、シール材４２ｄが設けられている。
【００５７】  以上、本実施の形態２に係る室内機１００においては、駆動モーター４５は、第２吹出流路２５つまり吹出流路５と隔てられ、吸込流路４と連通する収納室２１に収納されている。このため、本実施の形態２に係る室内機１００においても、実施の形態１と同様に、熱交換器７と熱交換後の空気の温度の影響を駆動モーター４５が受けることを防止出来る。このため、本実施の形態２に係る室内機１００においても、実施の形態１と同様に、駆動モーター４５の耐久性を確保することが出来る。
【００５８】  また、本実施の形態２に係る室内機１００は、実施の形態１と比べ、収納室２１が吸込流路４に近い位置に配置されることとなる。このため、本実施の形態２に係る室内機１００の収納室２１は、実施の形態１の第１収納室２１ａと比べ、送風機６が回転した際、内部の空気が送風機６によって吸い込まれやすい。このため、本実施の形態２に係る室内機１００の収納室２１は、実施の形態１の第１収納室２１ａと比べ、駆動モーター４５が発する熱が内部にこもりづらくなり、駆動モーター４５の温度上昇を抑制出来る。したがって、本実施の形態２に係る室内機１００は、実施の形態１で示した室内機１００に比べ、駆動モーター４５の効率を向上させることも出来る。
【００５９】  また、図１２に示すように、本実施の形態２に係る左右風向調節部４０においても、実施の形態１と同様に、吹出流路５と連通する箇所に配置されている部品と、吸込流路４と連通する箇所に配置されている部品との間に、断熱材９３を有している。
【００６０】  詳しくは、本実施の形態２に係る室内機１００においては、左右風向調節部４０の支持台４２が、収納室２１と吹出流路５とを隔てている。すなわち、支持台４２は、吹出流路５と連通する箇所に配置されている部品となっている。また、本実施の形態２に係る左右風向調節部４０においては、駆動モーター４５及び動力伝達機構４６が収納室２１に収納されている。すなわち、駆動モーター４５及び動力伝達機構４６が、吸込流路４と連通する箇所に配置されている部品となる。そして、断熱材９３は、支持台４２と動力伝達機構４６との間に設けられている。さらに詳しくは、図１３に示すように、断熱材９３は、支持台４２の壁部４２ｃ及び動力伝達機構４６の壁部４６ａに囲まれた空間の内部に設けられている。このため、本実施の形態２に係る室内機１００においても、実施の形態１と同様に、熱交換器７と熱交換後の空気の温度の影響を駆動モーター４５が受けることをさらに防止出来る。したがって、本実施の形態２に係る室内機１００においても、実施の形態１と同様に、駆動モーター４５の耐久性をさらに確保することが出来る。
【符号の説明】
【００６１】  １  筐体、２  吸込口、２ａ  吸込グリル、３  吹出口、４  吸込流路、５  吹出流路、６  送風機、７  熱交換器、８  ベルマウス、９  フィルタ、１０  室内機本体、１１  据付金具、１４  第１吸込流路、１５  第１吹出流路、２０  左右風向ケースメント、２１  収納室、２１ａ  第１収納室、２１ｂ  第２収納室、２１ｃ  内周面、２２  流路、２４  第２吸込流路、２５  第２吹出流路、２８  板部材、３０  化粧パネル、３４  第３吸込流路、３５  第３吹出流路、４０  左右風向調節部、４１  左右風向調節板、４２  支持台、４２ａ  壁部、４２ｂ  シール材、４２ｃ  壁部、４２ｄ  シール材、４３  連結部材、４３ａ  第１連結部材、４３ｂ  第２連結部材、４４  駆動装置、４５  駆動モーター、４６  動力伝達機構、４６ａ  壁部、４７  蓋、４７ａ  シール材、４８  シール材、５１  上下風向調節板、５２  駆動装置、９１  シール材、９２  シール材、９２ａ  配置範囲、９３  断熱材、１００  室内機、１０１  吸込空気、１０２  吹出空気。
【図１】
2019077690.tif 000003
【図２】
2019077690.tif 000004
【図３】
2019077690.tif 000005
【図４】
2019077690.tif 000006
【図５】
2019077690.tif 000007
【図６】
2019077690.tif 000008
【図７】
2019077690.tif 000009
【図８】
2019077690.tif 000010
【図９】
2019077690.tif 000011
【図１０】
2019077690.tif 000012
【図１１】
2019077690.tif 000013
【図１２】
2019077690.tif 000014
【図１３】
2019077690.tif 000015
【国際調査報告】
2019077690.tif 000016
2019077690.tif 000017
2019077690.tif 000018
2019077690.tif 000019